(57)【要約】      （修正有）【課題】靴及びその製造方法に関し、特にユーザの履き心地をより快適にするシームレス一体成型構造を有する靴の製造法を提供する。【解決手段】内部靴下の履き口を表面靴下の内部に入れて、二つの靴下を靴下編み機に適宜に架設し、内部靴下に、低融点糸とナイロン弾性糸を編みこみ、表面靴下に低融点糸、ナイロン弾性糸、及び定型糸を編みこみ、靴下編み機により二つの靴下を一体に編み成形した後に、中空金型を表面靴下の内部に入れて、べーク加熱することにより、糸の表面組織を軽度に破壊し、そして、冷却により編み物における定型糸を、外部固定金型の形状に応じて所定の形態に再編成し、靴底の部分について、表面靴下が所定の形態に形成された後に、靴底を表面靴下の底部に直接に接着させ、靴底と表面靴下との結合を達成することにより、シームレス一体成型構造を有する靴を完成させる靴及びその製造方法。【選択図】図５
2016041510.tif 000002
【特許請求の範囲】
【請求項１】
（a）ナイロン弾性糸を含み、外層に低融点糸が混入された内部靴下を裏返して、ナイロン弾性糸を含み、内層に低融点糸と定型糸が混入された表面靴下に入れ、前記内部靴下の一端を前記表面靴下の一端に編み合わせて第1靴下を編成するステップと、
（b）加熱可能な中空金型を前記第1靴下の内部に入れるステップと、
（c）外部固定金型により前記第1靴下の外部を挟持するステップと、
（d）前記中空金型により加熱して前記第1靴下を昇温させ、前記第1靴下の内部靴下と表面靴下における低融点糸を互いに接着することにより、前記内部靴下と前記表面靴下とを結合して第2靴下にするステップと、
（e）前記中空金型の加熱を停止し、前記第2靴下のナイロン弾性糸を靴型に収縮させるステップと、
（f）前記第2靴下を冷却して降温させることにより、前記第2靴下の定型糸が定型され、ナイロン弾性糸が伸縮性を有しなくなり、前記外部固定金型により、前記第2靴下を所定の靴型の第3靴下に成形するステップと、
（g）前記第3靴下の底部に靴底を接着することにより、シームレス一体成型構造を有する靴を完成するステップと、
を備えるシームレス一体成型構造を有する靴の製造方法。
【請求項２】
中空金型の表面には、1つ又は複数の蒸気穴が設けられている、請求項1に記載のシームレス一体成型構造を有する靴の製造方法。
【請求項３】
中空金型には、さらに前記中空靴型金型のエッジと底部に位置する複数の位置決め針孔が設けられている、請求項1に記載のシームレス一体成型構造を有する靴の製造方法。
【請求項４】
靴下の材質は、セルコットン、コーマ綿、光沢綿、スパンデックス、ライクラ、ポリアミド、ナイロン、アクリル、ポリプロピレン、ポリエステル、ビスコース、テンセル、竹繊維、モダール、麻、プーマである、請求項1に記載のシームレス一体成型構造を有する靴の製造方法。
【請求項５】
靴底の底部には、ビスコースで滑り止め粒、射出成形靴底、及び縫い靴底が接合されている、請求項1に記載のシームレス一体成型構造を有する靴の製造方法。
【請求項６】
表面靴下には、革、又は、PVCレザークロスが貼り付けられ、模様が印刷（オフセット印刷）、熱転写、又は刺繍される、請求項1に記載のシームレス一体成型構造を有する靴の製造方法。
【請求項７】
靴底の材質は、ゴム底、プラスチック底、TPR底、ポリウレタン底（PU底）、本革底、EVA底（いわゆる発泡底）、複合底である、請求項1に記載のシームレス一体成型構造を有する靴の製造方法。
【請求項８】
中空金型及び外部固定金型の材質は、鉄製、銅製、又はアルミ製である、請求項1に記載のシームレス一体成型構造を有する靴の製造方法。
【請求項９】
表面靴下が所定の形態に形成された後に、防水防塵材質又は塗料を付加する、請求項1に記載のシームレス一体成型構造を有する靴の製造方法。
【請求項１０】
靴下編み機は、丸編機である、請求項1に記載のシームレス一体成型構造を有する靴の製造方法。
【発明の詳細な説明】
【技術分野】
【０００１】
本発明は、靴及びその製造方法に関し、特にユーザの履き心地をより快適にするシームレス一体成型構造を有する靴に関する。
【背景技術】
【０００２】
統計によれば、台湾民衆の中には、60%の人は足部に痛みがあり、また、58%もの人の靴が不快適であり、又はフィットしておらず、足部健康の重要性がより一層発見される。人々は毎日歩くので、足の保養が特に重要であり、ますます多くの人は、よい靴を選択することが足にとって絶対に有利であることを意識してきた。品質のよい靴は昼間の仕事と勉強の表現に大きく影響しており、人が長期にわたって足部の保養に注意しないと、体調と気持ちの不安定などの現象が生じやすく、免疫システムの働きにも影響し、風邪、病気になりやすい。
【０００３】
足の保養は、飲食と同様に、基本的な生理需要であり、誰にとっても足の保養が必要であり、忙しい生活の中で、保養の時間を作ることは大多数の消費者にとって難しいことであるので、よい靴を選択することこそ、本発明の最も重要な課題である。
【発明の概要】
【課題を解決するための手段】
【０００４】
伝統的な靴に不備なところがあることに鑑みて、発明者が数年にわたって絶え間なく研究開発しており、そのうえ、特有の技術、及び種々な材質による消費者の足部に対するテストにより、ついに、編み方式を採用し、履き口を含む内部靴下と、編み方式を採用し、履き口を含む表面靴下と、靴底と、を含むように構成されるシームレス一体成型構造を有する靴において、内部靴下の履き口を表面靴下の内部に入れ、二つの靴下を靴下編み機に適宜に架設し、内部靴下に低融点糸とナイロン弾性糸を編みこみ、表面靴下に低融点糸、ナイロン弾性糸、及び定型糸を編みこみ、靴下編み機により、二つの靴下を一体に編み成形した後に、中空の金型を表面靴下の内部に入れ、ベーク加熱することにより、糸の表面組織を軽度に破壊し、そして、冷却により編み物における定型糸を外部固定金型の形状に応じて所定の形態に再編成し、靴底の部分について、表面靴下が所定の形態に形成された後に、靴底を表面靴下の底部に直接に接着させ、靴底と表面靴下との結合を達成することにより、シームレス一体成型構造を有する靴を完成し、シームレスの構造を有するので、ユーザの履き心地をより快適にする目的を達成するシームレス一体成型構造を有する靴がようやく開発された。
【０００５】
本発明の主な目的は、以下のとおりである。
【０００６】
１.本発明の利点の一つは、靴面と靴底はいずれもいかなる縫い目線もなく、着用者により高い快適度を与え、更に、子供向けの靴類用品シリーズ、ひいては室内靴にしてもよく、EVA、TPRゴムプラスチック底の屋外靴が後加工されて縫目無しの革靴類製品にすることもできることにある。
【０００７】
２．本発明の他の利点は、靴下は、靴を履いて歩く時の快適度を向上させるためのものであり、本発明の基礎は、編み物の靴下に低融点糸とナイロン弾性糸を編みこみ、べーク加熱することにより、原料の特性と糸の表面組織を軽度に破壊し、そして、冷却により、編み物における定型糸を金型の形状に応じて再編成させ、他の製品を形成することであることにある。
【０００８】
３．本発明の他の利点は、表面靴下自体には、革、又は、PVCレザークロスを切り貼ったり、貼り付けたりすることや、模様（シルク模様、モールド模様）を印刷（オフセット印刷）、熱転写、又は刺繍することにより、異なる外観を達成でき、主糸の太さに応じて、割合の異なるナイロン弾性繊維（Lycra/Spandex）と低融点糸を配合することもでき、例えば、細糸であると、主糸一本にナイロン一本、及び定型糸一本を混入し、太い主糸であると、一本にナイロン糸二本、及び定型糸二本を混入するように、場合と要求に応じて糸ごとの配合比と用量を変更し、糸の太さによっても、スタイルの異なる表面靴下を形成できることにある。
【０００９】
靴下を加熱するように、中空金型の表面には、1つ又は複数の蒸気穴が設けられていることが好ましい。
【００１０】
中空金型には、収縮定型時に、表面靴下の表面位置がずれることにより、欠陥が生じることを回避するように、この中空靴型金型のエッジと底部に位置する複数の位置決め針孔がさらに設けられていることが好ましい。
【００１１】
靴下の材質は、セルコットン、コーマ綿、光沢綿、スパンデックス、ライクラ、ポリアミド、ナイロン、アクリル、ポリプロピレン、ポリエステル、ビスコース、テンセル、竹繊維、モダール、麻、プーマであることが好ましい。
【００１２】
靴の滑り止め効果を向上させるように、靴底の底部には、ビスコースで滑り止め粒、射出成形靴底、及び縫い靴底が接合されることが好ましい。
【００１３】
表面靴下には、革、又は、PVCレザークロスが貼り付けられ、模様が印刷（オフセット印刷）、熱転写、又は刺繍されることが好ましい。
【００１４】
靴底の材質は、ゴム底、プラスチック底、TPR底、ポリウレタン底（PU底）、本革底、EVA底（いわゆる発泡底）、複合底であることが好ましい。
【００１５】
中空金型および外部固定金型の材質は、鉄製、銅製、アルミ製であることが好ましい。
【００１６】
表面靴下が所定の形態に形成された後に、防水防塵材質または塗料を付加することが好ましい。
【００１７】
審査員が本発明の特徴をより理解しやすいために、以下の添付図面及び本発明の実施例の説明を参照してください。以下の実施例は、本発明の観点をさらに詳しく説明するものであるが、如何なる観点でも本発明の範囲を限定するものではなく、以下の図面は、ただ簡略化された模式図で本発明の基本的な構想を説明するものに過ぎず、したがって、図面には、本発明に関係のある部品のみが例示され、実際に実施するときの部品の数、形状、サイズに基づいて描くものではないので、実際に実施するときに、各部品の形態、数、及び比率は、図面に限られず、実際の設計要求に応じて変更可能であることを先ず説明しておく。
【図面の簡単な説明】
【００１８】
【図１】図1は本発明に係るシームレス一体成型構造を有する靴の靴下の構造図である。
【図２】図2は本発明に係るシームレス一体成型構造を有する靴の中空金型を示す図である。
【図３】図3は本発明に係るシームレス一体成型構造を有する靴の外部固定金型を示す図である。
【図４】図4は本発明に係るシームレス一体成型構造を有する靴の完成図である。
【図５】図5は本発明に係る実施例の製造フローの模式図である。
【発明を実施するための形態】
【００１９】
図1を参照し、図1には、本発明に係るシームレス一体成型構造を有する靴の靴下の構造図が示され、編み方式を採用し、履き口11を含む内部靴下10と、編み方式を採用し、履き口21を含む表面靴下20と、靴底30と、を含むように構成されるシームレス一体成型構造を有する靴において、内部靴下10の履き口11を表面靴下20の内部に入れ、二つの靴下を靴下編み機に適宜に架設し、表面靴下20には、低融点糸及びナイロン弾性糸を編みこみ、靴下編み機により、二つの靴下を一体に編み成形した後に、図2を参照し、中空金型40を表面靴下20の内部に入れ、中空金型40は、複数の蒸気穴41と複数の位置決め針孔42を有するので、先ず、針を既に一体に編まれた靴下を貫通し、そして、位置決め針孔42に挿入し、その後、べーク加熱することにより、糸の表面組織を軽度に破壊し、図3を参照し、冷却により、編み物における定型糸を外部固定金型50の形状に応じて所定の形態に再編成し、図4を参照し、靴底30の部分について、表面靴下20が所定の形態に形成された後に、靴底30を表面靴下20の底部に直接に接着させ、靴底と表面靴下20との結合を達成することにより、シームレス一体成型構造を有する靴Sを完成し、シームレス構造を有するので、ユーザの履き心地をより快適にする目的を達成することを特徴とするシームレス一体成型構造を有する靴である。
【００２０】
また、この靴下は、主に室内靴にする場合、水洗い可能なものである。
【００２１】
図5を参照し、図5は、本発明に係る実施例の製造フローの模式図であり、当該製造フローは以下のステップを備える。
【００２２】
先ず、ステップs10に示すように、ナイロン弾性糸を含み、且つ外層に低融点糸が混入された内部靴下10を裏返して、ナイロン弾性糸を含み、且つ内層に低融点糸と定型糸とが混入された表面靴下20に入れ、この内部靴下10の一端をこの表面靴下20の一端に編み合わせて第1靴下を編成する。
【００２３】
次に、ステップs20に示すように、加熱可能な中空金型40をこの第1靴下の内部に入れる。
【００２４】
次に、ステップs30に示すように、外部固定金型50でこの第1靴下の外部を挟持する。
【００２５】
次に、ステップs40に示すように、この中空金型40により加熱することでこの第1靴下を昇温させ、この第1靴下の内部靴下10と表面靴下20内の低融点糸を互いに接着することにより、この内部靴下10とこの表面靴下20を結合して第2靴下にする。
【００２６】
次に、ステップs50に示すように、この中空金型40の加熱を停止し、この第2靴下のナイロン弾性糸を靴型に収縮させる。
【００２７】
次に、ステップs60に示すように、この第2靴下を冷却して降温させることで、この第2靴下の定型糸が定型され、ナイロン弾性糸が伸縮性を有しなくなり、この外部固定金型50により、この第2靴下を所定の靴型の第3靴下に成形する。
【００２８】
最後に、ステップs70を実行し、この第3靴下の底部に靴底30を接着することにより、シームレス一体成型構造を有する靴Sを完成する。
【００２９】
以上は、ただ好ましい実施例により本発明を詳しく説明したものに過ぎないが、この実施例に対する全ての補正と変化、例えば、靴下の材質及び靴底の材質の変化などの変更は、いずれも本発明の主旨と範囲に属する。
【００３０】
以上の詳細説明により、本発明が確かに前記の目的を達成できることは業者にとって明らかであるので、確かに既に特許法の規定を満たし、したがって、特許法に基づき特許を出願する。
【符号の説明】
【００３１】
s10、s20、s30、s40、s50、s60、s70：ステップフロー
10：内部靴下
11：履き口
20：表面靴下
21：履き口
30：靴底
40：中空金型
41：蒸気穴
42：位置決め針孔
50：外部固定金型
S：靴
【図１】
2016041510.tif 000003
【図２】
2016041510.tif 000004
【図３】
2016041510.tif 000005
【図４】
2016041510.tif 000006
【図５】
2016041510.tif 000007